(57)【要約】【課題】レスポンスを容易に早くすることができるようにする。【解決手段】録画再生装置２から入力される外部入力の映像信号に基づいて映像を表示させる場合、映像表示装置１においては、適宜、外部入力の映像信号にフレームの遅延を伴う高画質化処理が施され、高画質化処理を施して得られた映像信号に基づいて映像が表示される。録画再生装置２から入力された外部入力の映像信号に制御信号が付加されている場合、高画質化処理は省略される。例えば、メニュー画面を表示させるとき、または、トリックプレイ中の映像を表示させるとき、録画再生装置２においては、映像信号に制御信号が付加され、それが映像表示装置１において検出されることによって、高画質化処理が省略される。本発明は、テレビジョン受像機に適用することができる。【選択図】図１
2009033415.tif 000002
【特許請求の範囲】
【請求項１】
表示制御装置と再生装置とからなる表示システムにおいて、
前記表示制御装置は、
前記再生装置から供給された映像信号にフレーム遅延を伴う高画質化処理を施す高画質化処理手段と、
前記再生装置から供給され、前記高画質化処理手段により前記高画質化処理が施されていない映像信号、または、前記再生装置から供給され、前記高画質化処理手段により前記高画質化処理が施された映像信号に基づいて映像を表示させる表示制御手段と、
前記高画質化処理が施されていない映像信号に基づいて映像を表示させるか、前記高画質化処理が施された映像信号に基づいて映像を表示させるかを、前記再生装置から供給された映像信号に前記再生装置によって付加される制御信号に従って切り替える切り替え手段と
を備え、
前記再生装置は、
特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号を映像信号に付加する付加手段と、
前記付加手段により制御信号が付加された特殊再生中のコンテンツの映像信号またはメニュー画面の映像信号を前記表示制御装置に出力する出力手段と
を備える表示システム。
【請求項２】
再生装置と接続される表示制御装置において、
前記再生装置から供給された映像信号にフレーム遅延を伴う高画質化処理を施す高画質化処理手段と、
前記再生装置から供給され、前記高画質化処理手段により前記高画質化処理が施されていない映像信号、または、前記再生装置から供給され、前記高画質化処理手段により前記高画質化処理が施された映像信号に基づいて映像を表示させる表示制御手段と、
前記高画質化処理が施されていない映像信号に基づいて映像を表示させるか、前記高画質化処理が施された映像信号に基づいて映像を表示させるかを、前記再生装置から供給された映像信号に前記再生装置によって付加される制御信号に従って切り替える切り替え手段と
を備える表示制御装置。
【請求項３】
前記切り替え手段は、前記再生装置から供給された特殊再生中のコンテンツの映像信号に付加されている制御信号、または前記再生装置から供給されたメニュー画面の映像信号に付加されている制御信号を検出した場合、前記高画質化処理が施されていない映像信号に基づいて映像を表示させる
請求項２に記載の表示制御装置。
【請求項４】
前記切り替え手段は、HDMI規格のケーブルを介して行われる通信によって前記再生装置から供給された制御信号に従って、前記高画質化処理が施されていない映像信号に基づいて映像を表示させるか、前記高画質化処理が施された映像信号に基づいて映像を表示させるかを切り替える
請求項２に記載の表示制御装置。
【請求項５】
前記切り替え手段は、映像の非表示区間の信号として前記再生装置から供給された制御信号に従って、前記高画質化処理が施されていない映像信号に基づいて映像を表示させるか、前記高画質化処理が施された映像信号に基づいて映像を表示させるかを切り替える
請求項２に記載の表示制御装置。
【請求項６】
再生装置から供給された映像信号にフレーム遅延を伴う高画質化処理を施す高画質化処理手段と、前記再生装置から供給され、前記高画質化処理手段により前記高画質化処理が施されていない映像信号、または、前記再生装置から供給され、前記高画質化処理手段により前記高画質化処理が施された映像信号に基づいて映像を表示させる表示制御手段とを備える表示制御装置の表示制御方法において、
前記高画質化処理が施されていない映像信号に基づいて映像を表示させるか、前記高画質化処理が施された映像信号に基づいて映像を表示させるかを、前記再生装置から供給された映像信号に前記再生装置によって付加される制御信号に従って切り替える切り替えステップを含む
表示制御方法。
【請求項７】
再生装置から供給された映像信号にフレーム遅延を伴う高画質化処理を施す高画質化処理手段と、前記再生装置から供給され、前記高画質化処理手段により前記高画質化処理が施されていない映像信号、または、前記再生装置から供給され、前記高画質化処理手段により前記高画質化処理が施された映像信号に基づいて映像を表示させる表示制御手段とを備える表示制御装置の表示制御処理をコンピュータに実行させるプログラムにおいて、
前記高画質化処理が施されていない映像信号に基づいて映像を表示させるか、前記高画質化処理が施された映像信号に基づいて映像を表示させるかを、前記再生装置から供給された映像信号に前記再生装置によって付加される制御信号に従って切り替える切り替えステップを含む
プログラム。
【請求項８】
フレーム遅延を伴う高画質化処理が施されていない映像信号、または、前記高画質化処理が施された映像信号に基づいて映像を表示させる表示制御装置と接続される再生装置であって、
特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号を映像信号に付加する付加手段と、
前記付加手段により制御信号が付加された特殊再生中のコンテンツの映像信号またはメニュー画面の映像信号を前記表示制御装置に出力する出力手段と
を備える再生装置。
【請求項９】
フレーム遅延を伴う高画質化処理が施されていない映像信号、または、前記高画質化処理が施された映像信号に基づいて映像を表示させる表示制御装置と接続される再生装置の再生方法であって、
特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号を映像信号に付加する付加ステップと、
前記付加ステップの処理により制御信号が付加された特殊再生中のコンテンツの映像信号またはメニュー画面の映像信号を前記表示制御装置に出力する出力ステップと
を含む再生方法。
【請求項１０】
フレーム遅延を伴う高画質化処理が施されていない映像信号、または、前記高画質化処理が施された映像信号に基づいて映像を表示させる表示制御装置と接続される再生装置の再生処理をコンピュータに実行させるプログラムであって、
特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号を映像信号に付加する付加ステップと、
前記付加ステップの処理により制御信号が付加された特殊再生中のコンテンツの映像信号またはメニュー画面の映像信号を前記表示制御装置に出力する出力ステップと
を含むプログラム。
【発明の詳細な説明】
【技術分野】
【０００１】
本発明は、表示システム、表示制御装置、表示制御方法、再生装置、再生方法、およびプログラムに関し、特に、レスポンスを容易に早くすることができるようにした表示システム、表示制御装置、表示制御方法、再生装置、再生方法、およびプログラムに関する。
【背景技術】
【０００２】
近年販売されているテレビジョン受像機においては、高画質化のために映像信号に対して様々なデジタル処理が行われている。例えば、インタレース方式の映像信号をプログレッシブ方式の映像信号に変換するIP変換処理、ノイズを除去するノイズリダクション処理、フレーム数を２倍にする倍速フレーム生成処理などが行われている。
【０００３】
高画質化処理は、テレビジョン受像機自身のチューナにおいて得られる内部の映像信号だけでなく、通常、DVD(Digital Versatile Disc)レコーダなどの外付けの機器からテレビジョン受像機に入力される外部入力の映像信号に対しても施される。
【０００４】
特許文献１には、外部入力の信号に応じてモードを切り替える技術が開示されている。
【特許文献１】特開平８−２３４８０号公報
【発明の開示】
【発明が解決しようとする課題】
【０００５】
外部入力の映像信号が外付けの機器のメニュー画面を表示させるための映像信号である場合、高画質化処理が施されることによって、リモートコントローラなどを操作して表示の切り替えを指示してから実際にメニュー画面の表示が切り替わるまでに遅延が発生してしまい、レスポンスが悪く、操作しにくくなってしまうことがある。
【０００６】
また、DVDレコーダを操作して、早送り再生などのいわゆるトリックプレイを行っている場合、高画質化処理に伴って遅延が発生することにより、テレビジョン受像機に表示される映像を見てある場所で止めたいと思ったときであっても意図した場所で止めることができず、かなり進んだ場所で早送り再生が止まってしまうといった不都合が生じることもある。
【０００７】
従来、これらの問題を解消するための機能として、ゲームモードと呼ばれるような、高画質化処理を省略し、外部入力の映像信号をそのまま用いることによってレスポンスを早くするモードがテレビジョン受像機に設けられている。
【０００８】
ユーザは、テレビジョン受像機の設定画面を表示させ、リモートコントローラを操作してゲームモードを手動で設定することができる。ゲームモードが設定されている場合、テレビジョン受像機においては、外部入力の映像信号に対して高画質化処理が施されず、画質より、レスポンスを早くすることが優先される。一方、ゲームモードが設定されていない場合、外部入力の映像信号に対して高画質化処理が施され、レスポンスを早くすることより、画質が優先される。
【０００９】
これにより、ユーザは、状況に応じて、高画質化処理を行わせたり、行わせなかったりすることができるものの、その都度、モードを手動で切り替える必要があり、手間がかかる。
【００１０】
本発明はこのような状況に鑑みてなされたものであり、レスポンスを容易に早くすることができるようにするものである。
【課題を解決するための手段】
【００１１】
本発明の第１の側面の表示システムは、表示制御装置と再生装置とからなる表示システムであって、前記表示制御装置は、前記再生装置から供給された映像信号にフレーム遅延を伴う高画質化処理を施す高画質化処理手段と、前記再生装置から供給され、前記高画質化処理手段により前記高画質化処理が施されていない映像信号、または、前記再生装置から供給され、前記高画質化処理手段により前記高画質化処理が施された映像信号に基づいて映像を表示させる表示制御手段と、前記高画質化処理が施されていない映像信号に基づいて映像を表示させるか、前記高画質化処理が施された映像信号に基づいて映像を表示させるかを、前記再生装置から供給された映像信号に前記再生装置によって付加される制御信号に従って切り替える切り替え手段とを備える。また、前記再生装置は、特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号を映像信号に付加する付加手段と、前記付加手段により制御信号が付加された特殊再生中のコンテンツの映像信号またはメニュー画面の映像信号を前記表示制御装置に出力する出力手段とを備える。
【００１２】
本発明の第２の側面の表示制御装置は、再生装置と接続される表示制御装置において、前記再生装置から供給された映像信号にフレーム遅延を伴う高画質化処理を施す高画質化処理手段と、前記再生装置から供給され、前記高画質化処理手段により前記高画質化処理が施されていない映像信号、または、前記再生装置から供給され、前記高画質化処理手段により前記高画質化処理が施された映像信号に基づいて映像を表示させる表示制御手段と、前記高画質化処理が施されていない映像信号に基づいて映像を表示させるか、前記高画質化処理が施された映像信号に基づいて映像を表示させるかを、前記再生装置から供給された映像信号に前記再生装置によって付加される制御信号に従って切り替える切り替え手段とを備える。
【００１３】
前記切り替え手段には、前記再生装置から供給された特殊再生中のコンテンツの映像信号に付加されている制御信号、または前記再生装置から供給されたメニュー画面の映像信号に付加されている制御信号を検出した場合、前記高画質化処理が施されていない映像信号に基づいて映像を表示させることができる。
【００１４】
前記切り替え手段には、HDMI規格のケーブルを介して行われる通信によって前記再生装置から供給された制御信号に従って、前記高画質化処理が施されていない映像信号に基づいて映像を表示させるか、前記高画質化処理が施された映像信号に基づいて映像を表示させるかを切り替えさせることができる。
【００１５】
前記切り替え手段には、映像の非表示区間の信号として前記再生装置から供給された制御信号に従って、前記高画質化処理が施されていない映像信号に基づいて映像を表示させるか、前記高画質化処理が施された映像信号に基づいて映像を表示させるかを切り替えさせることができる。
【００１６】
本発明の第２の側面の表示制御方法またはプログラムは、高画質化処理が施されていない映像信号に基づいて映像を表示させるか、前記高画質化処理が施された映像信号に基づいて映像を表示させるかを、再生装置から供給された映像信号に前記再生装置によって付加される制御信号に従って切り替える切り替えステップを含む。
【００１７】
本発明の第３の側面の再生装置は、フレーム遅延を伴う高画質化処理が施されていない映像信号、または、前記高画質化処理が施された映像信号に基づいて映像を表示させる表示制御装置と接続される再生装置であって、特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号を映像信号に付加する付加手段と、前記付加手段により制御信号が付加された特殊再生中のコンテンツの映像信号またはメニュー画面の映像信号を前記表示制御装置に出力する出力手段とを備える。
【００１８】
本発明の第３の側面の再生方法またはプログラムは、特殊再生によってコンテンツを再生しているタイミングとメニュー画面を表示させているタイミングの少なくともいずれかのタイミングにおいて、高画質化処理が施されていない映像信号に基づいて映像を表示することを指示する制御信号を映像信号に付加する付加ステップと、前記付加ステップの処理により制御信号が付加された特殊再生中のコンテンツの映像信号またはメニュー画面の映像信号を表示制御装置に出力する出力ステップとを含む。
【００１９】
本発明の第１の側面の表示システムにおいては、表示制御装置において、高画質化処理が施されていない映像信号に基づいて映像を表示させるか、前記高画質化処理が施された映像信号に基づいて映像を表示させるかが、再生装置から供給された映像信号に前記再生装置によって付加される制御信号に従って切り替えられる。また、再生装置において、特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号が映像信号に付加され、制御信号が付加された特殊再生中のコンテンツの映像信号またはメニュー画面の映像信号が前記表示制御装置に出力される。
【００２０】
本発明の第２の側面の表示制御装置、表示制御方法、およびプログラムにおいては、高画質化処理が施されていない映像信号に基づいて映像を表示させるか、前記高画質化処理が施された映像信号に基づいて映像を表示させるかが、再生装置から供給された映像信号に前記再生装置によって付加される制御信号に従って切り替えられる。
【００２１】
本発明の第３の側面の再生装置、再生方法、およびプログラムにおいては、特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号が映像信号に付加され、制御信号が付加された特殊再生中のコンテンツの映像信号またはメニュー画面の映像信号が表示制御装置に出力される。
【発明の効果】
【００２２】
本発明によれば、レスポンスを容易に早くすることができる。
【発明を実施するための最良の形態】
【００２３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２４】
本発明の第１の側面の表示システムは、表示制御装置（例えば、図１の映像表示装置１）と再生装置（例えば、図１の録画再生装置２）とからなる表示システムにおいて、前記表示制御装置は、前記再生装置から供給された映像信号にフレーム遅延を伴う高画質化処理を施す高画質化処理手段（例えば、図２の高画質化回路３３）と、前記再生装置から供給され、前記高画質化処理手段により前記高画質化処理が施されていない映像信号、または、前記再生装置から供給され、前記高画質化処理手段により前記高画質化処理が施された映像信号に基づいて映像を表示させる表示制御手段（例えば、図２のパネルドライバ４１）と、前記高画質化処理が施されていない映像信号に基づいて映像を表示させるか、前記高画質化処理が施された映像信号に基づいて映像を表示させるかを、前記再生装置から供給された映像信号に前記再生装置によって付加される制御信号に従って切り替える切り替え手段（例えば、図２の出力切替回路３６）とを備え、前記再生装置は、特殊再生によってコンテンツを再生しているタイミングとメニュー画面を表示させているタイミングの少なくともいずれかのタイミングにおいて、前記高画質化処理が施されていない映像信号に基づいて映像を表示することを指示する制御信号を映像信号に付加する付加手段（例えば、図３の制御信号付加回路９０）と、前記付加手段により制御信号が付加された特殊再生中のコンテンツの映像信号またはメニュー画面の映像信号を前記表示制御装置に出力する出力手段（例えば、図３の出力回路９１）とを備える。
【００２５】
以下、本発明の実施の形態について図を参照して説明する。
【００２６】
図１は、本発明の一実施形態に係る表示システムの構成例を示す図である。
【００２７】
図１の表示システムは、映像表示装置１に対して、録画再生装置２とゲーム機３が接続されることによって構成される。例えば、映像表示装置１はテレビジョン受像機であり、録画再生装置２はハードディスク内蔵のDVDレコーダなどの外付けの機器である。映像表示装置１と録画再生装置２、映像表示装置１とゲーム機３は、それぞれ、HDMI(High Definition Multimedia Interface)規格のケーブルなどを介して接続される。映像表示装置１と録画再生装置２には図示せぬケーブルを介してアンテナからの信号が供給される。
【００２８】
映像表示装置１は、アンテナからの信号を復調することによって映像信号を取得し、取得した映像信号に高画質化処理を施してから映像を表示させる。例えば、インタレース方式の映像信号をプログレッシブ方式の映像信号に変換するIP変換処理、ノイズを除去するノイズリダクション処理、フレーム数を２倍にする倍速フレーム生成処理などが行われる。
【００２９】
映像表示装置１において行われる高画質化処理は、数フレームから十数フレーム程度のフレームの遅延を伴う。数フレームから十数フレーム程度のフレームの遅延とは、あるフレームの信号が録画再生装置２から出力されるのとほぼ同時にその信号に対応する映像が表示されるのではなく、あるフレームの信号が録画再生装置２から出力されてから、数フレームから十数フレーム程度分の時間だけ遅れたタイミングで、その信号に対応する映像が表示されることをいう。
【００３０】
また、映像表示装置１は、録画再生装置２から、またはゲーム機３から入力される外部入力の映像信号に基づいて映像を表示させる場合、そのとき設定されているモードを確認し、適宜、外部入力の映像信号に高画質化処理を施してから映像を表示させる。
【００３１】
映像表示装置１には、高画質化処理に関するモードとして、高画質モード、ゲームモード、オートの３つのモードが用意されている。ユーザは、映像表示装置１のリモートコントローラなどを操作して、３つのモードの中から所定のモードを設定することができる。
【００３２】
高画質モードは、外部入力の映像信号に対して高画質化処理を施し、高画質化処理を施して得られた映像信号に基づいて映像を表示するモードである。
【００３３】
ゲームモードは、高画質化処理を省略して、外部から入力されたものと同じ画質の映像信号であるスルー信号に基づいて映像を表示するモードである。例えば、ゲームモードは、ゲーム機３を用いてゲームを行い、ゲームの映像を表示させるときにユーザにより設定される。
【００３４】
オートは、高画質化処理を施して得られた映像信号に基づいて映像を表示するか、スルー信号に基づいて映像を表示するかを、外部入力の映像信号に付加された制御信号に従って切り替えるモードである。例えば、オートは、録画再生装置２に録画しておいたコンテンツを再生し、録画コンテンツの映像を表示させるときにユーザにより設定される。
【００３５】
オートが設定されている場合、例えば、映像信号に制御信号が付加されていることが検出されたときには、高画質化処理は施されずに、スルー信号に基づいて映像が表示される。一方、映像信号に制御信号が付加されていないときには、高画質化処理が施され、高画質化処理によって得られた映像信号に基づいて映像が表示される。
【００３６】
制御信号は、ユーザによる指示に応じてメニュー画面の映像信号を映像表示装置１に出力するタイミングや、録画コンテンツの早送り再生や巻き戻し再生などのいわゆるトリックプレイ（特殊再生）中の映像信号を映像表示装置１に出力するタイミングで録画再生装置２によって付加される。
【００３７】
すなわち、録画再生装置２のメニュー画面を表示させるとき、映像表示装置１においては、録画再生装置２から供給された映像信号に対する高画質化処理は省略され、スルー信号に基づいてメニュー画面が表示されることになる。これにより、高画質化処理に伴って、録画再生装置２から映像信号が出力されてからメニュー画面が映像表示装置１に実際に表示されるまでに遅延が生じ、レスポンスが悪くなるといったことを防ぐことが可能になる。メニュー画面は、各種の設定を行ったり項目の選択を行ったりするためにユーザにより利用される画面である。メニュー画面の表示は、ユーザによる操作に応じて適宜切り替える必要がある。
【００３８】
また、トリックプレイ中の映像を表示させるとき、映像表示装置１においては、録画再生装置２から供給された映像信号に対する高画質化処理は省略され、スルー信号に基づいてトリックプレイ中の映像が表示されることになる。これにより、高画質化処理に伴って、録画再生装置２から映像信号が出力されてからトリックプレイ中の映像が映像表示装置１に実際に表示されるまでに遅延が生じ、意図した場所でトリックプレイを止めることができないといった不都合が生じるのを防ぐことが可能になる。
【００３９】
このように、制御信号は、それが付加されている映像信号に対して高画質化処理を行わないことを映像表示装置１に指示する信号としての機能を有する。
【００４０】
図１の録画再生装置２は、放送波を介して、またはインターネットを介して供給されたコンテンツを内蔵のハードディスクに記録（録画）し、録画コンテンツをユーザによる指示に従って再生する。また、録画再生装置２は、DVDなどの記録メディアに記録されているコンテンツをユーザによる指示に従って再生する。録画再生装置２は、コンテンツを再生して得られた映像信号を映像表示装置１に出力し、映像を表示させる。
【００４１】
録画再生装置２は、映像表示装置１に出力する映像信号がメニュー画面の映像信号であるときには、その映像信号に上述した制御信号を付加し、制御信号を付加した映像信号を映像表示装置１に出力する。また、録画再生装置２は、映像表示装置１に出力する映像信号がトリックプレイ中の映像信号であるときには、トリックプレイ中の映像信号に制御信号を付加し、制御信号を付加した映像信号を映像表示装置１に出力する。
【００４２】
ゲーム機３は、ゲームの画面の映像信号を映像表示装置１に出力し、ゲームの画面を表示させる。
【００４３】
以上のようにして高画質化処理を制御する映像表示装置１の処理と制御信号の出力を制御する録画再生装置２の処理についてはフローチャートを参照して後述する。
【００４４】
図２は、図１の映像表示装置１の構成例を示すブロック図である。
【００４５】
図２に示されるように、映像表示装置１は、信号処理部１１、表示部１２、および制御部１３から構成される。
【００４６】
信号処理部１１は、チューナ２２、復調回路２３、デスクランブラ２４、カードインタフェース（I/F）２５、デマルチプレクサ（DEMUX）２７、ビデオデコーダ２８、オーディオデコーダ２９、NTSCデコーダ３０、HDMIデコーダ３１、入力切替回路（InputSel）３２、高画質化回路３３、フレームバッファ３４、アンプ３５、および出力切替回路（OutputSel）３６から構成される。信号処理部１１を構成するフレームバッファ３４を除く各部は共通のバス１４に接続され、CPU(Central Processing Unit)５１による制御に従って動作する。
【００４７】
チューナ２２は、デジタル放送信号を受信可能なアンテナ２１と接続されており、アンテナ２１から供給されるデジタル放送信号に対して、チャンネルの選局、検波を行う。チューナ２２は、選局、検波によって得られた信号を復調回路２３に出力する。
【００４８】
復調回路２３は、チューナ２２から供給された信号を復調し、MPEG(Moving Picture Experts Group)2方式のトランスポートストリーム（以下、単にストリームという）をデスクランブラ２４に出力する。
【００４９】
デスクランブラ２４は、復調回路２３から供給されたストリームが限定受信のストリームであり、スクランブルが施されている場合、CAS(Condition Access System)機能によってスクランブルを解除する。デスクランブラ２４は、ICカード２６から読み出され、カードインタフェース２５を介して供給された鍵データを取得し、取得した鍵データを用いて、ストリームに施されているスクランブルを解除する。デスクランブラ２４は、スクランブルを解除したストリームをデマルチプレクサ２７に出力する。
【００５０】
カードインタフェース２５は、ICカード２６に記憶されている鍵データを読み出し、読み出した鍵データをデスクランブラ２４に出力する。映像表示装置１に対しては、ICカード２６が埋め込まれたCASカードを装着することができるようになされている。
【００５１】
デマルチプレクサ２７は、デスクランブラ２４から供給されたストリームを構成するパケットのヘッダ部に記述されているパケット識別子（PID）に基づいてパケットを分離する。デマルチプレクサ２７は、所望のコンテンツのビデオパケットをビデオデコーダ２８に、オーディオパケットをオーディオデコーダ２９にそれぞれ出力する。
【００５２】
ビデオデコーダ２８は、デマルチプレクサ２７から供給されたビデオパケットをデコードし、得られた映像信号を入力切替回路３２に出力する。
【００５３】
オーディオデコーダ２９は、デマルチプレクサ２７から供給されたオーディオパケットをデコードし、得られた音声信号を入力切替回路３２に出力する。
【００５４】
NTSCデコーダ３０は、録画再生装置２などの外付けの機器から入力されたNTSC信号を復号し、映像信号と音声信号を入力切替回路３２に出力する。また、NTSCデコーダ３０は、録画再生装置２によって映像信号に適宜付加される制御信号の検出を行う。制御信号を検出したとき、NTSCデコーダ３０は、バス１４、コントローラ５４を介してCPU５１にそのことを通知する。例えば、映像信号の非表示区間に制御信号は挿入される。
【００５５】
HDMIデコーダ３１は、録画再生装置２などの外付けの機器からHDMI規格のケーブルを介して入力された信号を復号し、映像信号と音声信号を入力切替回路３２に出力する。また、HDMIデコーダ３１は、録画再生装置２によって映像信号に適宜付加される制御信号の検出を行う。制御信号を検出したとき、HDMIデコーダ３１は、バス１４、コントローラ５４を介してCPU５１にそのことを通知する。このように、制御信号は、NTSC方式の映像信号や、HDMI規格のケーブルを介して伝送される映像信号に付加することが可能である。
【００５６】
入力切替回路３２は、ビデオデコーダ２８、NTSCデコーダ３０、HDMIデコーダ３１から供給された映像信号のうち、ユーザにより選択されている映像信号を選択し、選択した映像信号を高画質化回路３３と出力切替回路３６に出力する。また、入力切替回路３２は、オーディオデコーダ２９、NTSCデコーダ３０、HDMIデコーダ３１から供給された音声信号のうち、ユーザにより選択されている音声信号を選択し、選択した音声信号をアンプ３５に出力する。
【００５７】
高画質化回路３３は、フレームバッファ３４と接続され、入力切替回路３２から供給された映像信号に対してIP変換処理、ノイズリダクション処理、動き検出を使った倍速フレーム生成処理などの高画質化処理を施す。
【００５８】
アンプ３５は、入力切替回路３２から供給された音声信号に基づいて音声をスピーカから出力させる。
【００５９】
出力切替回路３６は、表示部１２のパネルドライバ４１に出力する映像信号をCPU５１による制御に従って切り替え、高画質化回路３３から供給された高画質化処理が施された映像信号、または、入力切替回路３２からスルー信号として供給された映像信号をパネルドライバ４１に出力する。
【００６０】
出力切替回路３６に対しては、制御信号が検出されたために高画質化処理を省略する場合、入力切替回路３２から直接供給されたスルー信号を出力することがCPU５１により指示される。一方、制御信号が検出されていない場合、高画質化回路３３から供給された映像信号を出力することがCPU５１により指示される。
【００６１】
表示部１２は、パネルドライバ４１と表示パネル４２から構成される。
【００６２】
パネルドライバ４１は、出力切替回路３６から供給された映像信号に基づいて、映像を表示パネル４２に表示させる。
【００６３】
表示パネル４２はLCD(Liquid Crystal Display)などよりなり、パネルドライバ４１による制御に従って映像を表示する。
【００６４】
制御部１３は、CPU５１、ROM(Read Only Memory)５２、RAM(Random Access Memory)５３、コントローラ５４、計時回路５５、およびリモートコントローラインタフェース５６から構成される。
【００６５】
CPU５１は、コントローラ５４を介して、ROM５２に記憶されているプログラムをRAM５３にロードして実行し、各部の動作を制御する。
【００６６】
例えば、CPU５１は、高画質化処理に関するモードとして、高画質モード、ゲームモード、オートのうちのいずれかのモードをユーザによる操作に応じて設定する。また、CPU５１は、外部入力の映像信号に基づいて映像を表示している場合において制御信号が検出されたことがNTSCデコーダ３０またはHDMIデコーダ３１から通知されたとき、スルー信号を選択し、出力することを出力切替回路３６に指示する。
【００６７】
計時回路５５は、現在時刻の情報をコントローラ５４を介してCPU５１に出力する。
【００６８】
リモートコントローラインタフェース５６は、リモートコントローラ１Ａからの信号を受信し、ユーザによる指示の内容を表す情報をコントローラ５４を介してCPU５１に出力する。
【００６９】
図３は、図１の録画再生装置２の構成例を示すブロック図である。
【００７０】
図３に示されるように、録画再生装置２は、信号処理部７１、制御部７２、および記録部７３から構成される。
【００７１】
信号処理部７１は、チューナ８２、復調回路８３、デスクランブラ８４、カードインタフェース８５、デマルチプレクサ８７、ビデオデコーダ８８、オーディオデコーダ８９、制御信号付加回路９０、および出力回路９１から構成される。信号処理部７１を構成する各部は共通のバス７４に接続され、CPU１０１による制御に従って動作する。
【００７２】
チューナ８２は、アンテナ８１から供給されるデジタル放送信号に対して、チャンネルの選局、検波を行う。チューナ８２は、選局、検波によって得られた信号を復調回路８３に出力する。
【００７３】
復調回路８３は、チューナ８２から供給された信号を復調し、ストリームをデスクランブラ８４に出力する。
【００７４】
デスクランブラ８４は、復調回路８３から供給されたストリームにスクランブルが施されている場合、カードインタフェース８５から供給された鍵データを用いて、ストリームに施されているスクランブルを解除する。デスクランブラ８４は、ライブ放送の視聴動作を行っている場合、スクランブルを解除したストリームをデマルチプレクサ８７に出力する。
【００７５】
また、デスクランブラ８４は、録画動作を行っている場合、スクランブルを解除したストリームを、バス７４、コントローラ１０４、バス７５を介して記録部７３に出力する。例えば、ストリームの記録先としてハードディスク１１１が指定されている場合、デスクランブラ８４は、ストリームを記録部７３のハードディスク１１１に出力し、録画コンテンツとして記録させる。また、ストリームの記録先としてドライブに装着されたDVD１１２が指定されている場合、デスクランブラ８４は、ストリームをそのドライブに出力し、録画コンテンツとしてDVD１１２に記録させる。ハードディスク１１１に一度記録された録画コンテンツがバス７５を介してドライブに供給され、DVD１１２に記録されるようにしてもよい。
【００７６】
カードインタフェース８５は、ICカード８６に記憶されている鍵データを読み出し、読み出した鍵データをデスクランブラ８４に出力する。
【００７７】
デマルチプレクサ８７は、ライブ放送の視聴動作中、パケットのヘッダ部に記述されているPIDに基づいて、デスクランブラ８４から供給されたストリームを構成するビデオパケットをビデオデコーダ８８に、オーディオパケットをオーディオデコーダ８９にそれぞれ出力する。
【００７８】
また、デマルチプレクサ８７は、データパケット、PSI(Program Specific Information)のパケット、SI(Service Information)のパケットをPIDに基づいて分離する。SIにより、各コンテンツのチャンネル、タイトル、放送開始日時、放送継続時間、詳細内容、進行状況、ジャンル、シリーズに関する情報などが伝送される。SIを読み取ることによって、録画再生装置２によりEPG(Electronic Program Guide)データが取得される。EPGデータの取得は、毎日の所定の時刻に、デマルチプレクサ８７によって自動的に行われる。
【００７９】
デマルチプレクサ８７により取得されたEPGデータはハードディスク１１１に供給され、番組情報として記録される。ハードディスク１１１に記録されている録画コンテンツは、対応するコンテンツの番組情報と例えばファイル名によって関連付けられる。番組情報は、録画コンテンツの管理、番組表の作成、予約録画機能および再生機能等において使用される。
【００８０】
録画コンテンツの再生動作中、デマルチプレクサ８７には、ハードディスク１１１またはDVD１１２に録画コンテンツとして記録されているストリームが、バス７５、コントローラ１０４、およびバス７４を介して供給される。このとき、デマルチプレクサ８７は、ハードディスク１１１またはDVD１１２から読み出され、供給されたストリームを構成するビデオパケットをビデオデコーダ８８に、オーディオパケットをオーディオデコーダ８９にそれぞれ出力する。
【００８１】
ビデオデコーダ８８は、デマルチプレクサ８７から供給されたビデオパケットをデコードし、得られた映像信号を制御信号付加回路９０に出力する。ビデオデコーダ８８は、CPU１０１による制御に従って、適宜、早送り再生、巻き戻し再生などのトリックプレイを行い、トリックプレイ中の映像信号を制御信号付加回路９０に出力する。
【００８２】
オーディオデコーダ８９は、デマルチプレクサ８７から供給されたオーディオパケットをデコードし、得られた音声信号を出力回路９１に出力する。
【００８３】
制御信号付加回路９０は、CPU１０１による制御に従って、ビデオデコーダ８８から供給されたトリックプレイ中の映像信号、または、メニュー画面の表示中にCPU１０１から供給されるメニュー画面の映像信号に制御信号を付加する。制御信号付加回路９０は、映像表示装置１と録画再生装置２がHDMIケーブルを介して接続されている場合、制御信号のデータを映像信号のデータに付加し、映像表示装置１と録画再生装置２がアナログのケーブルを介して接続されている場合、制御信号を映像信号の非表示区間に挿入することによって付加する。
【００８４】
制御信号付加回路９０は、制御信号を付加した映像信号、または、制御信号を付加していない映像信号を出力回路９１に出力する。
【００８５】
出力回路９１は、制御信号付加回路９０から供給された映像信号とオーディオデコーダ８９から供給された音声信号を同期させ、映像表示装置１に出力する。
【００８６】
制御部７２は、CPU１０１、ROM１０２、RAM１０３、コントローラ１０４、計時回路１０５、およびリモートコントローラインタフェース１０６から構成される。
【００８７】
CPU１０１は、コントローラ１０４を介して、ROM１０２に記憶されているプログラムをRAM１０３にロードして実行し、各部の動作を制御する。
【００８８】
例えば、CPU１０１は、早送り再生、巻き戻し再生などのトリックプレイがユーザにより指示されたとき、それを実行することをビデオデコーダ８８に指示するとともに、映像信号に制御信号を付加することを制御信号付加回路９０に指示する。また、CPU１０１は、メニュー画面を表示している場合、メニュー画面のデータを制御信号付加回路９０に出力するとともに、その映像信号に制御信号を付加することを指示する。
【００８９】
コントローラ１０４は、各部の間のデータのやりとりを制御する。例えば、コントローラ１０４は、録画動作中、デスクランブラ８４によりスクランブルが解除され、バス７４を介して供給されたストリームを、記録先として指定されている記録部７３の記録媒体にバス７５を介して出力する。また、コントローラ１０４は、録画コンテンツの再生動作中、ハードディスク１１１、またはDVD１１２から読み出され、バス７５を介して供給されたストリームを、バス７４を介してデマルチプレクサ８７に出力する。
【００９０】
計時回路１０５は、現在時刻の情報をコントローラ１０４を介してCPU１０１に出力する。
【００９１】
リモートコントローラインタフェース１０６は、リモートコントローラ２Ａからの信号を受信し、ユーザによる指示の内容を表す情報をコントローラ１０４を介してCPU１０１に出力する。
【００９２】
記録部７３は、ハードディスク１１１と、DVD１１２のドライブにより構成される。
【００９３】
ハードディスク１１１は、録画動作時に供給されたストリームなどを記録する。また、ハードディスク１１１は、録画コンテンツの再生動作時、再生が指示されたコンテンツのストリームを読み出し、読み出したストリームをデマルチプレクサ８７に出力する。
【００９４】
DVD１１２のドライブは、録画動作時に供給されたストリームをDVD１１２に記録させる。また、ドライブは、録画コンテンツの再生動作時、再生が指示されたコンテンツのストリームをDVD１１２から読み出し、読み出したストリームをデマルチプレクサ８７に出力する。
【００９５】
図３の例においては、記録部７３を構成する記録媒体としてハードディスク１１１とDVD１１２が示されているが、記録部７３を構成する記録媒体の種類は、ストリームの記録や再生に適したものであれば特に限定されるものではない。例えば、DVD１１２に替えてBlu-ray Disc（登録商標）が装着されるようにすることもできる。また、記録媒体の数も２つに限定されるものではない。
【００９６】
ここで、以上のような構成を有する映像表示装置１と録画再生装置２により行われる処理について説明する。
【００９７】
はじめに、図４のフローチャートを参照して、映像表示装置１により行われる処理について説明する。
【００９８】
この処理は、内部の映像信号、または外部入力の映像信号に基づいて映像を表示しているときに行われる。なお、高画質モード、ゲームモード、オートのうちのいずれかのモードが、映像表示装置１のメニュー画面などからユーザによりあらかじめ設定され、CPU５１により管理されている。
【００９９】
ステップＳ１において、映像表示装置１のCPU５１は、入力切替回路３２の状態を確認する。映像を表示しているとき、入力切替回路３２の状態は、外部入力の映像信号を後段に出力している状態と、チューナ２２から各部を介して供給された内部の映像信号を後段に出力している状態のうちのいずれかの状態となる。
【０１００】
ステップＳ２において、CPU５１は、入力切替回路３２の状態が外部入力の映像信号を後段に出力している状態であるか否かを判定する。
【０１０１】
ステップＳ２において入力切替回路３２の状態が外部入力の映像信号ではなく、内部の映像信号を後段に出力している状態であると判定した場合、ステップＳ３において、CPU５１は、入力切替回路３２から供給された映像信号と高画質化回路３３から供給された映像信号のうち、高画質化回路３３から供給された映像信号を出力切替回路３６に選択させ、パネルドライバ４１に出力させる。表示パネル４２には、高画質化処理が施された映像信号に基づいて映像が表示されることになる。
【０１０２】
一方、ステップＳ２において入力切替回路３２の状態が外部入力の映像信号を後段に出力している状態であると判定した場合、ステップＳ４において、CPU５１は、設定されているモードが、高画質モード、ゲームモード、オートのうちのいずれのモードであるのかを判定する。
【０１０３】
ステップＳ４において、設定されているモードが高画質モードであると判定した場合、ステップＳ３において、CPU５１は、入力切替回路３２から供給された映像信号と高画質化回路３３から供給された映像信号のうち、高画質化回路３３から供給された映像信号を出力切替回路３６に選択させ、パネルドライバ４１に出力させる。表示パネル４２には、高画質化処理が施された外部入力の映像信号に基づいて映像が表示されることになる。
【０１０４】
一方、ステップＳ４において、設定されているモードがオートであると判定した場合、ステップＳ５において、CPU５１は、制御信号を検出したことがNTSCデコーダ３０、またはHDMIデコーダ３１から通知されたか否かを判定する。
【０１０５】
ステップＳ５において制御信号を検出したことが通知されていないと判定した場合、ステップＳ３において、CPU５１は、入力切替回路３２から供給された映像信号と高画質化回路３３から供給された映像信号のうち、高画質化回路３３から供給された映像信号を出力切替回路３６に選択させ、パネルドライバ４１に出力させる。表示パネル４２には、高画質化処理が施された外部入力の映像信号に基づいて映像が表示されることになる。制御信号が付加されていない外部入力の映像信号に基づいて表示される映像であるから、ここで表示される映像はユーザの操作に応じて表示を制御する必要があるような映像ではなく、遅延よりも画質の方が優先されることになる。
【０１０６】
一方、ステップＳ５において制御信号を検出したことが通知されたと判定した場合、ステップＳ６において、CPU５１は、入力切替回路３２から供給された映像信号と高画質化回路３３から供給された映像信号のうち、入力切替回路３２から供給されたスルー信号を出力切替回路３６に選択させ、パネルドライバ４１に出力させる。表示パネル４２には、高画質化処理が省略された、録画再生装置２が出力したものと同じ画質の映像信号に基づいて映像が表示されることになる。
【０１０７】
制御信号が付加されている外部入力の映像信号に基づいて表示される映像であるから、ここで表示される映像はメニュー画面やトリックプレイ中の映像となる。画質よりも遅延が発生するのを防ぐことが優先されることになり、ユーザによって操作が行われてから、それに応じて表示が切り替わるまでのレスポンスが悪くなるといったことを防ぐことが可能になる。
【０１０８】
また、録画再生装置２により付加された制御信号が検出されることに応じてスルー信号が自動的に選択されるから、ユーザは、高画質化処理に関するモードをオートに設定する操作さえしておけば設定を自ら切り替えたりするような操作を別に行う必要がなく、容易に、レスポンスを早くさせることができる。
【０１０９】
一方、ステップＳ４において、設定されているモードがゲームモードであると判定した場合、ステップＳ６において、CPU５１は、入力切替回路３２から供給された映像信号と高画質化回路３３から供給された映像信号のうち、入力切替回路３２から供給された映像信号であるスルー信号を出力切替回路３６に選択させ、パネルドライバ４１に出力させる。表示パネル４２には、高画質化処理が省略されたゲームの画面などの外部入力の映像信号に基づいて映像が表示されることになる。
【０１１０】
ステップＳ３において高画質化回路３３から供給された映像信号が選択された後、または、ステップＳ６において入力切替回路３２から供給された映像信号が選択された後、処理は終了される。
【０１１１】
次に、図５のフローチャートを参照して、録画再生装置２の処理について説明する。
【０１１２】
この処理は、ビデオデコーダ８８から制御信号付加回路９０に映像信号が供給されているとき、または、CPU１０１から制御信号付加回路９０にメニュー画面の映像信号が供給されているときに行われる。
【０１１３】
ステップＳ１１において、CPU１０１は、メニュー画面の表示中であるか否かを判定する。メニュー画面を表示しているとき、CPU１０１から制御信号付加回路９０に対してメニュー画面の映像信号が供給され、制御信号付加回路９０、出力回路９１を介して映像表示装置１に出力される。
【０１１４】
ステップＳ１１においてメニュー画面の表示中ではないと判定した場合、ステップＳ１２において、CPU１０１は、トリックプレイの映像の表示中であるか否かを判定する。トリックプレイの映像を表示しているとき、ビデオデコーダ８８から制御信号付加回路９０に対してトリックプレイ中の映像信号が供給され、制御信号付加回路９０、出力回路９１を介して映像表示装置１に出力される。
【０１１５】
ステップＳ１２においてトリックプレイの映像の表示中ではないと判定した場合、ステップＳ１３において、CPU１０１は、制御信号付加回路９０を制御して、制御信号を付加することなく、ビデオデコーダ８８から供給された映像信号を出力回路９１に出力させ、外部入力の映像信号として映像表示装置１に供給させる。
【０１１６】
一方、ステップＳ１１においてメニュー画面の表示中であると判定した場合、ステップＳ１４において、CPU１０１は、制御信号付加回路９０を制御して、メニュー画面の映像信号に制御信号を付加させる。その後、ステップＳ１３において、制御信号付加回路９０は、制御信号を付加した映像信号を出力回路９１に出力し、外部入力の映像信号として映像表示装置１に供給させる。
【０１１７】
これにより、映像表示装置１においては、制御信号が検出され、スルー信号に基づいてメニュー画面が表示されることになる。
【０１１８】
ステップＳ１２においてトリックプレイの映像の表示中であると判定した場合も同様に、ステップＳ１４において、CPU１０１は、制御信号付加回路９０を制御して、トリックプレイ中の映像信号に制御信号を付加させる。その後、ステップＳ１３において、制御信号付加回路９０は、制御信号を付加した映像信号を出力回路９１に出力し、外部入力の映像信号として映像表示装置１に供給させる。
【０１１９】
これにより、映像表示装置１においては、制御信号が検出され、スルー信号に基づいてトリックプレイの映像が表示されることになる。
【０１２０】
以上においては、録画再生装置２のメニュー画面を表示させているタイミングとトリックプレイ中の映像を表示させるタイミングで制御信号が映像信号に付加されるものとしたが、録画再生装置２から供給された映像信号に基づいて表示するGUI(Graphical User Interface)のうち、ユーザにより操作が行われることに応じて内容を切り替える必要のある他のGUIを表示するときにも制御信号が付加されるようにしてもよい。
【０１２１】
また、以上においては、録画再生装置２のメニュー画面を表示させているタイミングとトリックプレイ中の映像を表示させるタイミングのいずれのタイミングでも制御信号が映像信号に付加されるものとしたが、録画再生装置２のメニュー画面を表示させているタイミングだけ、または、トリックプレイ中の映像を表示させるタイミングだけといったように、少なくともいずれかのタイミングで制御信号が付加されるようにしてもよい。
【０１２２】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどにインストールされる。
【０１２３】
インストールされるプログラムは、例えば、図３に示されるDVD１１２などのリムーバブルメディアに記録して、あるいは、ローカルエリアネットワーク、インターネット、デジタル衛星放送といった、有線または無線の伝送媒体を介して提供される。プログラムは、ROMやハードディスクに、あらかじめインストールしておくことができる。
【０１２４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２５】
本発明の実施の形態は、上述した実施の形態に限定されるものではなく、本発明の要旨を逸脱しない範囲において種々の変更が可能である。
【図面の簡単な説明】
【０１２６】
【図１】本発明の一実施形態に係る表示システムの構成例を示す図である。
【図２】図１の映像表示装置の構成例を示すブロック図である。
【図３】図１の録画再生装置の構成例を示すブロック図である。
【図４】映像表示装置の処理について説明するフローチャートである。
【図５】録画再生装置の処理について説明するフローチャートである。
【符号の説明】
【０１２７】
１  映像表示装置，  ２  録画再生装置，  ３０  NTSCデコーダ，  ３１  HDMIデコーダ，  ３２  入力切替回路，  ３３  高画質化回路，  ３６  出力切替回路，  ９０  制御信号付加回路，  ９１  出力回路
【図１】
2009033415.tif 000003
【図２】
2009033415.tif 000004
【図３】
2009033415.tif 000005
【図４】
2009033415.tif 000006
【図５】
2009033415.tif 000007